Podtech/llm-jp-corpus-v4-ja_patent huggingface dataset:
(57)【特許請求の範囲】
【請求項１】
人孔蓋を設置する場合、舗装を先行させ、舗装完了後その舗装高に合わせて人孔蓋の受け枠を設置する工法において、受け枠設置完了時、受け枠外周面と周辺舗装との間に残る空隙に充填材を充填舗装する場合、充填材として加熱アスファルト合材をその空隙に投入し、その締め固めは挿入方向に断面幅が次第に小さくなる断面がくさび状の適当な強度を持つ挿入物を挿入することにより投入した加熱アスファルト合材を十分な密度まで締め固め、その挿入物も舗装の一部とすることを特徴とする間詰め舗装方法。
【発明の詳細な説明】
【技術分野】
【０００１】  人孔蓋を設置する場合、舗装を先行させ、舗装完了後その舗装高に合わせて人孔蓋の受け枠を設置する工法（ＡＬ（Ａｆｔｅｒ  Ｌｅｖｅｌｉｎｇ）工法と呼ぶ）において、受け枠を設置完了時に、受け枠外周面と周辺舗装との間に残る空隙に充填材として加熱アスファルト合材を投入、締め固めを行う間詰め舗装の施工方法に関する。
【背景技術】
【０００２】  ＡＬ工法で人孔蓋を設置した場合、受け枠外周面と既設舗装との間に残る空隙に容易で確実に、十分な密度まで充填材の加熱アスファルト合材を締め固めることは困難であった。【０００３】  よって、車両交通により施工後沈下して段差が発生し、振動騒音の増加、さらに、その振動により舗装の崩壊を促進してしまうことがあった。【０００４】  これに対して、コンクリート系充填材や硬化する樹脂系接着剤を加えた充填材で変形に対する強度を向上させたものが使用されている。しかし、これらは長時間の硬化時間が必要であり、材料単価も高価なもので施工費を上昇させていた。【０００５】  本発明は、上記のような問題を解決し容易で安価な間詰め舗装を提供するものである。
【発明の概要】
【発明が解決しようとする課題】
【０００６】  ＡＬ工法で人孔蓋を設置する場合、受け枠を設置完了時に、設置した受け枠外周面と周辺舗装との間に残る空隙を安価な加熱アスファルト合材を充填し、舗装作業による騒音振動の発生を抑制し、容易に十分な密度のアスファルト舗装盤を設置する施工方法を提供する。【０００７】  現在は適当な流動性のコンクリート系材料を充填材とし、その流動性で空隙を十分充填する方法や硬化する樹脂系接着剤を充填材に加え、硬化後の剛性で沈下や変形を防止する方法が行われている。【０００８】  しかし、これらの材料は長い硬化時間が必要であり材料価格も高価であるため工程全体のコストを押し上げていた。
【課題を解決するための手段】
【０００９】  ＡＬ工法で人孔蓋を設置する場合、受け枠を設置完了時に設置した受け枠外周面と周辺舗装との間に残る空隙に充填材を充填する間詰め舗装を行う場合において、充填材として加熱アスファルト合材を投入し、その加熱アスファルト合材の締め固めは挿入方向に断面幅が次第に小さくなる、断面がくさび状の適当な強度を持つ挿入物を加熱アスファルト合材に挿入することにより投入した加熱アスファルト合材を十分な密度まで締め固め、挿入物も舗装の一部とすることによる。
【発明の効果】
【００１０】  本発明によれば人孔蓋周辺の狭隘な空隙も容易で確実に締め固めが可能となり、舗装の耐久性、平坦性が向上、作業が簡便になる等の効果がある。
【図面の簡単な説明】
【００１１】
【図１】挿入物をセットし挿入を開始する状態の断面図
【図２】間詰め舗装（挿入）完了時の断面図
【図３】挿入物の平面図
【図４】挿入方向を下にした挿入物の断面図
【発明を実施するための形態】
【００１２】  本発明における効果的な実施の形態について一例を説明する。
【実施例】
【００１３】  ＡＬ工法で人孔蓋を設置する場合における本発明の施行例を説明する。【００１４】  蓋受け枠を周辺の舗装に合わせて高さと傾斜を調整（レベリング）して、固定すると受け枠（１２）の外周面と周辺舗装（９）との間が空隙として残る。【００１５】  受け枠固定用ボルト（１５）に圧縮版（５）に圧力を加えるための反力を受けるボルト（反力ボルト）（１）を適当な長さのナット（１４）を介して取り付ける。【００１６】  受け枠の外周面と周辺舗装との間の空隙に加熱アスファルト合材（１０）を投入、敷き均す。【００１７】  転圧は挿入方向に断面幅が次第に小さくなる断面がくさび状の適当な強度を持つ挿入物（６）を加熱アスファルト合材の上に載せる。【００１８】  挿入物上に挿入力圧力を伝えるため十分な強度の圧縮版を反力ボルトを貫通させ挿入物の上に設置する。この圧縮版の幅は挿入物の上面より外にせり出し、内外周径は挿入物の挿入により余剰になった加熱アスファルト合材が発生した場合はその合材を上部に排出できるような隙間が構成される幅である。【００１９】  反力ボルトにワッシャー（８）、締め付けナット（７）を取り付ける。【００２０】  周辺舗装の変形防止版（４）を反力ボルトを介して設置固定する。【００２１】  締め付けナット（７）を締め付けて圧縮版を介して挿入物に圧力を加えて加熱アスファルト合材の中に挿入物を所定の位置まで挿入する。【００２２】  変形防止版、反力ボルト、圧力版を除去する。【００２３】  余剰の加熱アスファルト合材は周辺舗装と圧縮版外周面、受枠外周面と圧縮版内周面のそれぞれの間から上部に排除されるので加熱した転圧棒等で除去、転圧して完了となる。このとき、表面が荒れている場合はシールコートをして仕上げる。【００２４】  以上が本発明の作業手順である。ここで、挿入物に圧力をかける手段は路面転圧用プレートによることもできる。また、この挿入物が交通振動等による離脱を防止するため反力ボルトを撤去した跡の穴とナット（１４）を介してボルトで離脱防止器具を装着することも可能である。
【産業上の利用可能性】
【００２５】  本発明によればＡＬ工法により設置した路面構造物周辺舗装の締め固めが確実で容易にできるので路面の平坦性の向上、耐久性向上、作業騒音振動の削減が可能であり、総合的にコスト削減ができる。
【符号の説明】
【００２６】  ２、３は周辺舗装の変形防止版を固定するワッシャーとナット、１０は空隙に投入されたゆるい状態の加熱アスファルト合材、１１は蓋、１３は受け枠の高さ調整材、１６、１７は受け枠を固定するナットとワッシャー、１８は反力ボルトを除去した跡に充填した充填材、１９は締め固められた加熱アスファルト合材、２０は反力ボルトを通すための切り込み。
【図１】
0005387913.tif 000002
【図２】
0005387913.tif 000003
【図３】
0005387913.tif 000004
【図４】
0005387913.tif 000005
(57)【特許請求の範囲】
【請求項１】
船尾端の満載喫水線上方域から下方の全域に亘って後端板の外板から船底形状の長手方向傾斜に対して任意の迎角を以って下向き且つ後方に突出する平板構成のトランソムフィンを設けたことを特徴とする船尾端渦緩和装置。
【発明の詳細な説明】
【技術分野】
【０００１】  本発明は船舶における船尾端渦の緩和装置に関するものである。
【背景技術】
【０００２】  プロペラを船体中心線に対して左右対称に２個装備された所謂２軸船における従来のものの船尾部を図１、図２および図３に示している。但し、図１は船体中心線ＣＬにおける船尾部の縦断面図を示し、図２および図３は図１におけるＩＩ−ＩＩ断面矢視図およびＩＩＩ−ＩＩＩ断面矢視図を夫々示している。尚、図２および図３は左右舷対称に構成されている為、船体中心線ＣＬから左舷側のみ表示し右舷側は省略している。船尾部においては図１に示す通り船体１の後端は略短絡的な形状をなし、その横断面形状は図２に示す通り船幅方向に曲線形状をなした外板６を以って形成された後端板５により構成されている。また船体１の船尾部の下端には船底２が構成されて後端は満載喫水線ＬＷＬより下方で後端板５と交差している。更に船尾垂線ＡＰより前方域から船体中央部に亘ってスケグ３が設けられており、当該スケグ３の下端は基線ＢＬ上に設けられた下端板４に連結されている。【０００３】  一般に船体１が航走しているとき、船尾端の後方においては図４に流れの状況を概略的に示している通り水面近傍で渦が発生する。また船底から流れ上がった水流も減速されて遅くなっている。その為に船体抵抗が大きくなって船体が運航に要する主機の馬力が大きくなっている。
【発明が解決しようとする課題】
【０００４】  上述の通り従来の船舶の船尾端から後方に掛けて水面近傍で渦が発生し且つ水流が減速して船体抵抗増大の一要因となっている。その為、船舶が運航に要する主機馬力が増大することとなる問題点を有している。
【問題を解決するための手段】
【０００５】  その為本願は船尾端の満載喫水線上方域から下方の全域に亘って後端板の外板から船底形状の長手方向傾斜に対して任意の迎角を以って下向きにして後方に突出するトランソムフィンを設けることを特徴としている。
【発明の効果】
【０００６】  以上詳述した通り本願の船尾端渦緩和装置によれば比較的簡素な構成によって、船尾端から発生する渦と流速減を緩和することで船体抵抗が低減されて船体が運航に要する主機馬力が低減されて産業上有効な装置である。
【発明を実施するための最良の形態】
【０００７】  以下、本願の実施例の船尾端渦緩和装置について図５および図６に沿って説明する。但し、図５は船体中心線ＣＬ上における船尾部の縦断面図を示し、図６は図５におけるＶＩ−ＶＩ矢視図を示している。尚、図６は左右舷対称に構成されている為、船体中心線ＣＬから左舷側のみ表示し右舷側は省略している。図中、従来のものと同一番号および符号は従来のものと同一構成部材を表すことから説明は省略する。図５に示す通り船体中心線ＣＬ上における後端板５と船底２の交差する点からトランソムフィン７が船底２の長手方向傾斜に対して任意の迎角を以って下向きに突出して船底２および後端板５に取り付けられている。その際、図６に横断面形状を示している通り、船幅方向には後端板５の外板６の形状に沿い満載喫水線ＬＷＬの上方域から下方の全域に亘って、トランソムフィン７は構成されている。更に適当な間隔で以ってブラケット８ａ、８ｂ、８ｃ、８ｄ、８ｅがトランソムフィン７と後端板５に取り付けられている。【０００８】  その為、本願のトランソムフィン７が設けられた船体１が運航しているとき当該トランソムフィン７の作用によって船尾端域の流れは図４に示しているような渦の発生が緩和され且つ流速減も緩和される。その結果、フルード数Ｆｎと剰余抵抗係数Ｃｒの関係を表す性能についてトランソムフィン７を設けない場合と設けた場合の比較カーブを模型船による水槽試験結果に基づいて図７に示しているが、トランソムフィン７を設けた場合は設けない場合より同一フルード数Ｆｎで剰余抵抗係数Ｃｒが低減されている。尚、剰余抵抗係数Ｃｒおよびフルード数Ｆｎは以下の式で表される。
Ｃｒ＝Ｒｒ／（０．５＊ρ＊Ｖｓ２＊Ｓ）
Ｆｎ＝Ｖｓ／（ｇ＊Ｌ）０．５
但し、Ｒｒは剰余抵抗、ρは海水の密度、Ｖｓは船速、Ｓは船体の浸水面積、ｇは重力  加速度、Ｌは船長を表す。
また、船速Ｖｓと主機馬力ＢＨＰの関係を表す性能についてトランソムフィン７を設けない場合と設けた場合の比較カーブを図８に示しているが、トランソムフィン７を設けた場合は設けない場合に比べて同一主機馬力ＢＨＰにおいては速力Ｖｓが増加し、同一速力Ｖｓにおいては主機馬力ＢＨＰが低減される効果が示されている。
【図面の簡単な説明】
【０００９】
【図１】  船体中心線ＣＬにおける船尾部の縦断面図である。
【図２】  図１におけるＩＩ−ＩＩ断面矢視図である。
【図３】  図１におけるＩＩＩ−ＩＩＩ断面矢視図である。
【図４】  船尾端部における流れを表す作用図である。
【図５】  船体中心線ＣＬにおける船尾部の縦断面図である。
【図６】  図５におけるＶＩ−ＶＩ矢視図である。
【図７】  フルードＦｎと剰余抵抗係数Ｃｒの関係を表わす性能比較図である。
【図８】  船速Ｖｓと主機馬力ＢＨＰの関係を表す性能比較図である。
【符号の説明】
【００１０】１    船体
２    船底
３    スケグ
４    下端板
５    後端板
ＡＰ  船尾垂線
ＢＬ  基線
ＣＬ  船体中心線
ＬＷＬ  満載喫水線
６    外板
７    トランソムフィン
８ａ  ブラケット
８ｂ  ブラケット
８ｃ  ブラケット
８ｄ  ブラケット
８ｅ  ブラケット
【図１】
0005387985.tif 000002
【図２】
0005387985.tif 000003
【図３】
0005387985.tif 000004
【図４】
0005387985.tif 000005
【図５】
0005387985.tif 000006
【図６】
0005387985.tif 000007
【図７】
0005387985.tif 000008
【図８】
0005387985.tif 000009
(57)【特許請求の範囲】
【請求項１】
冶金炉用スラグドアであって、敷居を備えたドアトンネルを有する炉の上殻にスラグドア開口部が設けられており、前記スラグドアが閉鎖機構によって操作可能であるものにおいて、
前記閉鎖機構が前記炉壁の外側で前記炉壁に前置して配置されており、
前記スラグドア開口部の内部の断面が少なくとも２つの水平旋回可能なドア扉によって閉鎖可能であり、
前記ドア扉が少なくとも３つの位置で鎖錠可能であり、
前記位置に付属する第１位置では前記ドア扉が実質的に１平面をなすように閉鎖状態を示しており、
第２位置は共通の１平面に垂直であり、かつ開放位置を意味しており、
第３位置では前記ドア扉が、前記炉内部の方向を向く前記１平面に対して鋭角を成し、前記鋭角が前記ドア扉の間で開口隙間を解放することを特徴とするスラグドア。
【請求項２】
４つの前記ドア扉が対で上下に配置して設けられていることを特徴とする請求項１に記載のスラグドア。
【請求項３】
前記ドア扉が相互に独自に操作可能であることを特徴とする請求項１または２に記載のスラグドア。
【請求項４】
前記ドア扉が個々に調整可能で、かつ、さまざまな位置で鎖錠可能であり、前記炉からのスラグ流出量および／または前記炉内のスラグ高さが制御可能であることを特徴とする請求項３に記載のスラグドア。
【請求項５】
外部に向かって前記１平面に対して鋭角で開放されることになる位置で前記ドア扉が鎖錠可能であることを特徴とする請求項１〜４のいずれか１項に記載のスラグドア。
【発明の詳細な説明】
【技術分野】
【０００１】
本発明は、冶金炉用スラグドアであって、敷居を備えたドアトンネルを有する炉の上殻にスラグドア開口部が設けられており、スラグドアが閉鎖機構によって操作可能であるものに関する。
【背景技術】
【０００２】
特許文献１により、３部材で形成されたスラグドアが公知である。
【０００３】
その際、上側ドア部分またはドア扉は水平軸の周りを旋回可能なゲートによって形成され、ゲートの下方には２つの、垂直軸の周りを旋回可能な指状ドア扉が設けられている。
【０００４】
ゲート用旋回機構も、下側ドア扉用調整機構または閉鎖機構も、炉殻の炉壁に配置されている。
【先行技術文献】
【特許文献】
【０００５】
【特許文献１】国際公開第２００７／１４７２４８号パンフレット
【発明の概要】
【発明が解決しようとする課題】
【０００６】
本発明の課題は、構造支出が少なく、特に既存の冶金炉においてさしたる改造措置なしに追加設置も可能とするスラグドアを明示することである。
【課題を解決するための手段】
【０００７】
この課題は、本発明によれば、冶金炉用スラグドアであって、敷居を備えたドアトンネルを有する炉の上殻にスラグドア開口部が設けられており、スラグドアが閉鎖機構によって操作可能であるものによって解決される。
【０００８】
その際、閉鎖機構は落下する屑鉄から保護するために炉壁の外側で炉壁に前置して配置されており、スラグドア開口部の内法断面は少なくとも２つの水平旋回可能なドア扉によって閉鎖可能であり、ドア扉は少なくとも３つの位置で鎖錠可能であり、これらの位置に付属する第１位置ではドア扉が実質的に１平面で直立しており、第２位置は共通平面に垂直であり、かつ開放位置を意味しており、第３位置ではドア扉が、炉内部の方向を向く鋭角を成し、この鋭角がドア扉の間で開口隙間を解放する。
【０００９】
好ましい諸構成は従属請求項から明らかとなり、それらの本質は４つのドア扉が対で上下に配置して設けられており、ドア扉が相互に独自に操作可能であることにある。
【００１０】
好ましくは、外部に向かって鋭角で開放されることになる位置でもドア扉はなお鎖錠可能であり、ドア扉縁部の間に形成される隙間を通して、管理下にスラグ排出が可能である。
【００１１】
以下、図面を参考に本発明を説明する。
【図面の簡単な説明】
【００１２】
【図１】２つのドア扉を有するスラグドアの構成をさまざまな位置で概略示す。
【図２】２つのドア扉の別の構成を示す。
【図３】４つのドア扉を有する実施形態を示す。
【発明を実施するための形態】
【００１３】
これらの略図において冶金炉の壁は示唆してあるだけであり、符号１としてある。
【００１４】
この壁にドア開口部２が設けられている。このドア開口部２の前に、しかもより正確に述べるなら炉壁によって形成される壁面の前に、つまりこの壁面に前置して、枠３が象徴的に示唆してあり、この枠にドア扉４、５、６〜９が固着されており、またはこの枠によって保持される。
【００１５】
ここに図示しない閉鎖機構が各ドア扉について枠３と結合されている。
【００１６】
これらの図面の個々の図は、ドア扉がいかなる位置を占め得るかを示している。
【００１７】
図１もしくは図２に、しかも上側の図には、閉鎖状態が示してある。
【００１８】
炉内部に接近する必要性に応じて、一方または両方のドア扉を開放することができる。
【００１９】
その場合特殊性はそれぞれ図１もしくは図２の下側図に示してあり、しかもここではドア扉が‐炉内部の方向を向く‐鋭角を成し、この鋭角により、対向するドア扉縁部の間に隙間が残ることになる。ドア扉のこの運動性は、スラグを押し戻すことによって敷居の清浄を可能とする。
【００２０】
最後になお、外向きに開放された鋭角におけるドア扉の位置は図面に示していない。その際、内向き位置におけると同様に、対向するドア扉縁部の間で隙間が解放され、この隙間は管理下にスラグ流出を可能とする。
【００２１】
自明のことであるが、ドア扉の位置は任意の別の位置でも鎖錠可能であるが、しかし少なくとも前記諸位置が重要である。
【００２２】
例えばドア扉が個々に調整可能かつさまざまな位置で鎖錠可能である場合、これは、炉からのスラグ流出量および／または炉内のスラグ高さを制御可能とする可能性を生じる。
【００２３】
最後に図３は、この場合４つの対で配置されるドア扉の異なる位置をやはり示す。
【００２４】
開放位置のとき下側ドア扉はスラグ管理と敷居の清浄とに役立つ一方、上側ドア扉はその開放位置のとき、例えば整備作業を実施できるようにするために炉内部へのさらなる接近を可能とする。
【図１】
0005536787.tif 000002
【図２】
0005536787.tif 000003
【図３】
0005536787.tif 000004
(57)【特許請求の範囲】
【請求項１】
中性子検出素子と、この中性子検出素子の中性子入射面側に配置された第１の減速材と、この第１の減速材の中性子入射面及び前記中性子検出素子と接する面以外を覆うように配置された第１の減速材より減速効果の高い第２の減速材から成ることを特徴とする中性子測定装置。
【請求項２】
前記中性子検出素子から出力される検出パルス信号を波高レベル別に弁別する波高弁別器を具備することを特徴とする請求項１記載の中性子測定装置。
【請求項３】
中性子検出素子が中性子及びガンマ線有感部と、ガンマ線有感部を有することを特徴とする請求項１または２記載の中性子測定装置。
【発明の詳細な説明】
【技術分野】
【０００１】
本発明は、中性子を測定する中性子測定装置に関する。
【背景技術】
【０００２】
現行の加圧水型原子炉、沸騰水型原子炉等の軽水炉においては、炉心内の局所的中性子強度を測定するため、炉心内に炉内中性子検出器を設置している。これら炉内中性子検出器の信号ケーブルを取り出すため、原子炉容器には、貫通部が設けられている。
【０００３】
もし、原子炉容器の外に設置した中性子検出器で、炉心内の局所的な中性子強度を測定できるならば、炉内中性子検出器を設置する原子炉容器の貫通部を無くすことができる。その結果、検査箇所が削減され、定期点検短縮につながり、原子炉稼働率が向上する。
【０００４】
この様な技術として、炉心の軸方向の中性子強度を炉心側面に並べた測定装置により測定する技術がある（特許文献１）。
【先行技術文献】
【特許文献】
【０００５】
【特許文献１】特許第４３８０９９４号公報
【発明の概要】
【発明が解決しようとする課題】
【０００６】
しかしながら、中性子測定装置を単純に並べただけでは炉外での中性子束分布は分かるが、その中性子が炉心のどの部分から来た中性子であるか分からないため、炉心の中性子束分布を測ることはできない。中性子の飛来方向を限定することができれば炉心の測定したい方向からの中性子を選択的に測定できる。その手段としては、中性子減速材とスリットを組み合わせたコリメータを用いる方法がある。しかし、この方法でも原子炉容器からの散乱による中性子により測定精度は悪くなる。
【０００７】
そこで本発明では、2種類の中性子減速材を組み合わせて散乱された中性子を減少させる中性子測定装置を提供する。
【課題を解決するための手段】
【０００８】
本発明に係る中性子測定装置は、中性子検出素子と、この中性子検出素子の中性子入射面側に配置された第１の減速材と、この第１の減速材の中性子入射面及び前記中性子検出素子と接する面以外を覆うように配置された第１の減速材より減速効果の高い第２の減速材から成ることを特徴とする。
【発明の効果】
【０００９】
本実施例によれば、中性子源で発生した中性子のうち隔てた場所にある散乱体で散乱された中性子を遮蔽できるため、中性子源での発生位置の測定精度を向上させることができる。
【図面の簡単な説明】
【００１０】
【図１】本発明の第１の実施の形態を示す構成図。
【図２】本発明の第１の実施の形態の説明図。
【図３】本発明の第２の実施の形態を示す構成図。
【発明を実施するための形態】
【００１１】
（実施例１）
本発明の実施例を図１〜２を参照して説明する。
【００１２】
図１において、中性子検出素子１の中性子入射方向に第１の減速材２が配置されている。この第１の減速材２の中性子入射面及び中性子検出素子１と接する面以外を覆うように減速効果の高い第２の減速材３が配置される。中性子検出素子１は波高弁別器９に接続されている。
【００１３】
中性子源４で発生した中性子５は散乱体６を通過する。このとき一部の中性子５は散乱する。散乱体６で散乱された中性子７はエネルギーが減少し、散乱されずに通過した中性子８よりエネルギーが低くなる。
【００１４】
第２の減速材３に到達した散乱された中性子７及び散乱されていない中性子８は高い減速効果により通過できず、中性子検出素子１に到達できない。また、第１の減速材２に到達した散乱された中性子７はエネルギーが低いため通過できず、中性子検出素子１に到達できない。散乱されていない中性子８は中性子検出素子１に到達するので検出される。中性子検出素子１から出力された検出パルス信号は波高弁別器９に送られる。
【００１５】
よって、第２の減速材３により、中性子検出素子１へ入射する中性子の入射方向は制限される。また、第１の減速材２により、途中で散乱された中性子７は遮蔽される。この結果、中性子検出素子１で測定される中性子は測定したい方向から散乱されずに到達した中性子８のみとなり、中性子源４のある特定の場所から発生した中性子を測定することとなる。また、中性子検出素子１から発生する信号パルスの中にはガンマ線などの他の放射線起因のものがあるが、波高弁別器９によって、パルス波高を弁別することにより、中性子による信号のみを選別できる。
【００１６】
第１の減速材２と第２の減速材３としては、例えば第１の減速材を低密度ポリエチレンとし、第２の減速材３を高密度ポリエチレンにする。第２の減速材３には遮蔽効果を高めるためボロン入りのポリエチレンを用いても良い。
【００１７】
次に、中性子検出素子１による測定についての計算例を図２に示す。図２は第１の減速材２を用いた場合とその部分を減速効果がほとんどない部材とした場合での、測定について計算した例である。第１の減速材２によって測定精度が向上しているのが分かる。
【００１８】
以上より明らかなように、本実施例によれば、中性子源4で発生した中性子のうち隔てた場所にある散乱体６で散乱された中性子を遮蔽できるため、中性子源４での発生位置の測定精度を向上させることができる。
【００１９】
（実施例２）
本発明の第２の実施例を図３を参照して説明する。なお図１に示した実施例と同一の構成には同一の符号を付し、重複する説明は省略する。
【００２０】
図３において、中性子検出素子１は中性子及びガンマ線有感部１０とガンマ線有感部１１を有している。
【００２１】
中性子及びガンマ線有感部１０により、中性子起因の検出信号とガンマ線起因の検出信号が混ざった信号が得られ、ガンマ線有感部１１よりガンマ線起因の検出信号が得られる。
【００２２】
中性子及びガンマ線有感部１０により得られる、中性子起因の検出信号とガンマ線起因の検出信号が混ざった信号からガンマ線有感部１１よりガンマ線起因の検出信号を引くことによりガンマ線起因の検出信号を除去することができ、中性子８の測定精度を向上させることができる。
【００２３】
以上より明らかなように、本実施例によれば、中性子源4で発生した中性子のうち隔てた場所にある散乱体６で散乱された中性子７を遮蔽でき、その際発生するガンマ線による検出信号をガンマ線有感部１１からの検出信号を用いて除去できるため、中性子源４での発生位置の測定精度を向上させることができる。
【符号の説明】
【００２４】
１…中性子検出素子
２…第１の減速材
３…第２の減速材
４…中性子源
５…中性子
６…散乱体
７…散乱された中性子
８…散乱されていない中性子
９…波高弁別器
10…中性子及びガンマ線有感部
11…ガンマ線有感部
【図１】
0005398670.tif 000002
【図２】
0005398670.tif 000003
【図３】
0005398670.tif 000004
(57)【特許請求の範囲】
【請求項１】
洋式便器（３）の便器と便座の間に、便座より張り出したスペース板（１）を介在させ、スペース板前部において、張り出した部分底部に補強柱（２）を設け、スペース板後部に穴（７）を設け、スペース板前部とスペース板後部の間に蝶番（６）を設けることを特徴とする介護用洋式トイレ補助具。
【発明の詳細な説明】
【技術分野】
【０００１】  本発明は、要介護者が様式便器を使用のさい、安心、安全に着座をすることを目的とする介護用洋式トイレ補助具に関する。
【背景技術】
【０００２】  従来の補助具は、特許文献１のパイプ形、または、特許文献２のひじ掛形のようなものが主だった。
いずれの補助具も補助具と便座の双方との間に高さのズレがあり、その高さのズレは要介護者には負担になっていた。
【先行技術文献】
【０００３】
【特許文献１】  特開平０９−０８４７２０号公報
【特許文献２】  特開平１１−１６９４０６号公報
【発明の概要】
【発明が解決しようとする課題】
【０００４】  要介護者が洋式便器を使用時、特に足腰の弱ている人は中腰姿勢をとりながらしゃがむさい、便座におしりがつくまでが不安なのである。
更に着座までの中腰姿勢じたい辛く、ドスンっと便座にすわってしまい骨折の危険性がある。
従来の補助具では、これらのことを考慮したものがなかった。
脳障害、脊髄の圧迫骨折の母を介護するようになり、経験からそのことを解決する必要性に気がつきました。
そこで、本発明の介護用洋式トイレ補助具は、これらの不安と危険性を減らすことを課題とする。
【課題を解決するための手段】
【０００５】  洋式便器（３）において、便器部分と便座部分の間に便座幅よりも大きいサイズのスペース板（１）に補強柱（２）を設け、スペース板（１）に蝶番（６）と取り付け穴（７）を設ける。
本発明は以上のように構成された介護用洋式トイレ補助具。
【発明の効果】
【０００６】  本発明に係る介護補助具によれば、要介護者は、便座に着座するさいにスペース板に手をおくことができる。
そのことにより両腕で体を支えられるのでゆっくり着座をすることができ安心、安全性がたかまる。
【図面の簡単な説明】
【０００７】
【図１】  本発明の、スペース板を装着時の全体を示した斜視図である。
【図２】  本発明の、スペース板本体を示した斜視図である。
【発明を実施するための形態】
【０００８】  本発明は、上記の目的を達成するために洋式便器（３）において、便器部分と便座部分の間に便座幅よりも大きいサイズのスペース板（１）に補強柱（２）を設ける。
スペース板（１）に蝶番（６）と取り付け穴（７）を設ける。
しかし、手をつきやすい形状であれば、サイズ、形にはこだわらない。
便座とスペース板が一体のものであれば直良い。
また、着座時の便座の高さとスペース板の高さは、なるべく同じ高さに位置するのが望ましい。
スペース板が不安定な場合スペース板の底部分に補強柱（２）をつける。
さらに、多種メーカーの便器に対応できるように、その補強柱は高さが調整でき、なお、収納もできるものが望ましい。
スペース板は男子の小便を考慮して、便座（４）便座フタ（５）同様に立てられる構造が望ましい。
さらに、スペース板、便座、便座フタを同一ボルトでつける構造にすることで安易に取り付けができる。
多種メーカーの便器に対応ができるように、スペース板のボルト取り付け穴の形状は楕円形が望ましい。
しかし、安易に取り付けがでる穴であれば、穴の形状、穴の数にはこだわらない。
スペース板は、手で触れるものであるからスペース板の表面には、抗菌、光触媒等、衛生面に対応した加工を施したものが望ましい。
【実施例】
【０００９】  介護している立場からスペース板のサンプルを作り実施してみた、便座まわりに手をつけるスペースを設けたことによりスムーズな着座が可能となった。
また、要介護者は、這ってトイレまで行っていたのだが便座に座るために立つことが大変困難であった。
しかし、スペース板を利用して立つことによりそれもスムーズに出来るようになった。
【符号の説明】
【００１０】１  スペース板
２  補強柱
３  洋式便器
４  便座
５  便座フタ
６  蝶番
７  取り付け穴
【図１】
0005457327.tif 000002
【図２】
0005457327.tif 000003
(57)【特許請求の範囲】
【請求項１】
重力により回転下降するよう角度をもたせ加工した螺旋軸とはずみ車に合体させた磁石を持ち、その周りに複数本の発電コイルを備えた本体と、電気を起こし終わり最下部に到達した磁石を巻き上げ定位置までもどすため、本体カバーの下に原動機がとりつけてあり、螺旋軸の下端部には歯車の小、原動機の上には歯車の大を取り付け、磁石の回転方向とは逆に回して定位置に戻す仕組みを持つ重力式発電装置。
【発明の詳細な説明】
【技術分野】
【０００１】
本発明は、重力を応用した発電装置にかんする。
【背景技術】
【０００２】
従来の環境を汚さない発電装置として、例えば（特開平５−２３１２９１）の風力発電
（特開平５−７９１３７）太陽光発電等がある、しかし気象条件あるいは光源のないところでは、著しく性能が落ちるという欠点があった。また、（特開２０１１−４５７４）の重力発電機の公開特許広報（Ａ）を読んだ限りでは、モーターである一定の重さを持つ回転盤を回転させ、その惰力でモーターを発電機に応用させている。これは遠心力による一時的な発電で重力を応用したとは考えられない。以下過去の資料を見ても、重力そのもので発電させる装置は見当たらない。
【０００３】
本発明は地球上どこにでもある重力場を利用し、比較的簡単な構造をもつ装置である。その構造は重力により回転しながら落ちる、円盤状に形成した磁石、弾み車となる金属の円盤。ネジ状の螺旋に加工した金属棒、金属棒と同じ長さの発電コイル。重力により回転下降した磁石を上に巻き上げる大小２個のギヤ、金属棒を逆回転させるためのモーターあるいは、エンジン、タービンその他からなる。
【０００４】
金属の円盤は、弾み車となるため外側と中心部を残し、ある一定の薄さに削っておく、中心に金属棒をはめ込むための穴をあけ、雌ネジ状の螺旋を刻んでおく、円盤状の磁石の中央にも穴を形成し、金属の円盤が下になるように固定する。螺旋に加工した金属棒に磁石を上から穴にはめる、抑えた力を抜くと、螺旋に沿って回転下降する。磁石の周りには金属棒と同じ長さを持つ発電コイルが、複数本磁石を取り囲むように配されている。磁石はコイルの間を回転下降しながら降りていくため金属棒の長さだけ発電できる。下降して下についた磁石は大小２個のギヤ、小のギヤは金属棒の下に固定されてついている。大のギヤは原動機モーター及びその他、に固定されている。下についた磁石は上の定位置まで戻す作業として、磁石の回転した方向と反対方向に高速で、金属棒を回転させると磁石は上昇し、定位置で止まる。                     
本発明は重力を螺旋の金属棒により、磁石を回転に変え、周りを囲む複数本の発電コイルの中を回転下降させ、電気を作り出す装置である。
【発明の開示】
【発明が解決しようとする課題】
【０００５】
太陽光発電、風力発電当は環境をよごさない発電方法だが、光源のないところあるいは
気象条件で著しく性能が落ちるという欠点があった、これを解決するため重力を応用して
発電するという方法を考えた。                                                      
【０００６】
本発明は地球上どこにでもある、重力場を利用しあらゆる環境でも、平均的に電気エネルギーを発生させることを目的とするものである。    
【課題を解決するための手段】
【０００７】
そして、本発明は上記目的を達成するために複数本の発電コイルを円形状に配し、その中
を円形状磁石と固定させた弾み車が、スムーズに回転下降するよう金属棒に螺旋のみぞをほどこし、磁石は電気を起こしながら螺旋にそって回転し、金属棒の長さだけ電気エネルギーを発生させるものである。
【０００８】
第２の解決手段として、発電装置を複数機使い１台は電機を起こす準備として、金属棒の上に巻き上げその他の装置は、発電中または発電終わりの状態にしておくと、絶え間なく電気エネルギーを発生させることができる。
【発明の効果】
【０００９】
上述したように本発明の重力式発電装置は、自然のエネルギーを利用するとともに、安全でクリーンな電気エネルギーを提供できる。
【００１０】
回転盤に発電コイルを載せ、固定して周りに磁石を配しても同じ効果がえられる。
【００１１】
また、複数機稼働させることにより、平均的にエネルギーを発生させるという効果を発揮するものである。
【図面の簡単な説明】
【００１２】
【図１】本発明の実施形態を示す重力式発電装置の断面図及び発電コイル、原動機である。
【図２】装置の心臓部にあたる天板、磁石、はずみ車、螺旋軸、ボルト，大小の歯車である。
【図３】原動機をコントロールするスイッチ部で、モーターを使用した場合である。
【図４】全体をおおうカバー及びベアリング、スイッチ穴である。
【発明を実施するための形態】
【００１３】
以下、本発明の実施の形態を図１〜図４に基づいて説明する。
図においては、１は電気を起こすための磁石で、はずみ車２と組み合わせる。３の螺旋軸にはめ込み力を抜くと、回転下降する。４の発電コイルが複数本配されている。５と６は磁石等が、電気を起こし終わって、定位置巻き上げるための歯車である。
【００１４】
７は原動機で、６の歯車大が取り付けてあり、磁石等の回転方向とは逆方向に高速で回転させる。図面の原動機はモーターを例にあげたものである。
【００１５】
８はベアリングであり、螺旋軸の回転をスムーズにするものである。
【００１６】
９はスイッチ棒であり、磁石が上まで巻き上がると直角に曲げられた棒の先端に触れる。スイッチが切れて磁石１と２が螺旋に沿い、回転下降し電気を起こしながら下につく。下にも棒があり、これに触れると７の原動機のスイッチが入り６と５の歯車がまわりだす。
【００１７】
１０の天板は、全体の屋根にあたる物で、８のベアリング１４のスイッチ穴とが一体についている。
【００１８】
１１ボルト穴は、１の磁石２のはずみ車にあけてあり、磁石は金属とちがい加工がしにくいので形成の段階で穴を設ける。または、強力な接着剤を用いる方法もある。
【００１９】
１２は１磁石と２はずみ車を密着させ、結合させるボルトである。
【００２０】
１３は装置全体を覆うカバーであり、８と１４が上下についている。
【００２１】
１５と１６は発電コイルの巻いたはしであり、出力の＋と−の線である。
【００２２】
１７はスイッチ部の構造を示した図であり、スイッチ棒には山形の突起が付いており、カバーの方には柔軟性のある金属板が互い違いに２枚付いている。その先端には金属の接点が上下２個ついており、山形の突起は図にあるように頂上にあるときは入り棒が上に上がり、折り曲げられた金属板の谷に入ると切りとなり、１８は原動機がモーターの場合の電源コードである。
【符号の説明】
【００２３】
１  磁石
２  はずみ車
３  螺旋軸
４  発電コイル
５  歯車小  
６  歯車大
７  原動機
８  ベアリング
９  スイッチ棒
１０天板
１１ボルト穴
１２ボルト
１３カバー
１４スィッチ穴
１５出力＋
１６出力−
１７スイッチ
１８電源コード
【図１】
0005457516.tif 000002
【図２】
0005457516.tif 000003
【図３】
0005457516.tif 000004
【図４】
0005457516.tif 000005
(57)【特許請求の範囲】
【請求項１】
（イ）オキシドールの入ったたれびんを１個備え、
（ロ）パッケージに入った救急絆創膏を１枚備え、
（ハ）前記救急絆創膏の白地の前記パッケージに、オキシドールで水圧をかけて傷口を洗浄消毒し救急絆創膏を貼る使用法が書かれており、
（ニ）前記オキシドールの入ったたれびんの周りに前記パッケージに入った救急絆創膏を両面テープかセロテープ（登録商標）で巻いて貼り合わせひと束として１セットとされている、
以上の如く特徴を持つ携帯オキシドール入りたれびんに救急絆創膏を巻いた即洗浄消毒保護セット。
【発明の詳細な説明】
【技術分野】
【０００１】  本発明は、携帯オキシドール入りたれびんに救急絆創膏を巻いた即洗浄消毒保護セットに関する。
【背景技術】
【０００２】  従来、外出先での傷口は救急絆創膏で保護するだけに留まっていたしかさばった。【０００３】
【特許文献１】特開２０００−０４２０２５号公報
【発明の開示】
【発明が解決しようとする課題】
【０００４】    従来、外出先での傷口は救急絆創膏で保護するだけに留まっていたしかさばった。
【課題を解決するための手段】
【０００５】  たれびんにオキシドールを入れ救急絆創膏をたれびんの周りに巻いてセロテープ（登録商標）か両面テープで貼り付け１セットにした。
【発明の効果】
【０００６】  外出先の屋外での傷口洗いを可能にし、消毒、保護をさらにコンパクトにした。
【発明を実施するための最良の形態】
【０００７】    たれびんにオキシドールを入れ救急絆創膏をそのたれびんの周りにセロテープ（登録商標）で巻いて１セットにし、傷口の汚れをオキシドールたれびんを強く押してその水圧で洗い落としオキシドール入りたれびんを強く押してその水圧で傷口の奥までも消毒でき最後に救急絆創膏で保護する。以上の如く特徴を持つ携帯オキシドール入りたれびんに救急絆創膏を巻いた即洗浄消毒保護セット。
【実施例】
【０００８】    既製品のたれびんを使用することで生産過程を単純で早く当業者も作れるようにし、上記の如く実施される。
【産業上の利用可能性】
【０００９】    この分野の発明は特許文献１の改良でより良く効率的になっており、生産過程という面でも良く、擦り傷の多い子供等に使用でき、従来品より、よりコンパクトになっており携帯用としては産業上の利用可能性は高いと解される。
(57)【特許請求の範囲】
【請求項１】
口内に挿入して咬合される弾性材料で形成されリング状の円板状部材と、口内への挿入及び口内からの取り出しのために前記円板状部材の一端に直接接続するように設けた摘み部材とを備え、前記摘み部材は長方形の形状を有し、前記リング状の円板状部材と、前記長方形の長い方の辺側が接続するように構成されたことを特徴とするストレス解消用の咬合緩衝具
【請求項２】
前記弾性材料がシリコンゴムであることを更に特徴とする請求項１に記載のストレス解消用の咬合力緩衝具
【請求項３】
前記円板状部材と前記摘み部材とが一体的に成型されることを更に特徴とする請求項１に記載のストレス解消用の咬合力緩衝具
【発明の詳細な説明】
【技術分野】
【０００１】  本発明は、口内に適宜挿入して、咬合力を緩衝してストレス解消具として使用するのに適した咬合力緩衝具に関するものである。
【背景技術】
【０００２】  人間は、無意識のうちにストレスを感じることによって、屡々歯を強く食いしばることがあり、このような行為は、酷い肩凝りや、頭痛を誘発するばかりではなく、歯自体をも欠損することが、医学的にも、一般にもよく知られている。そのような行為に起因する障害の対処として、例えば、歯科医院において、マウスピースの装着を勧められることがある。【０００３】  しかしながら、そのような歯科医院で提供されるマウスピースは、歯を強く食いしばり続けても破損しないような強度の硬質の材料で作られており、手軽に咥えてストレスを解消する道具として、適していないことは明らかである。
【発明の概要】
【発明が解決しようとする課題】
【０００４】  本発明の課題は、日常生活のなかで、無意識のうちに集中することでストレスを感じ易い行動あるいは作業を行う際に、口内に挿入して咥えることで、簡単かつ手軽に咬合力を緩衝してストレスを解消することが可能な咬合力緩衝具を提供することである。
【課題を解決するための手段】
【０００４】  本発明の咬合力緩衝具は、口内に挿入して咬合される、弾性材料で形成された円板状部材と、口内への挿入及び口内からの取り出しのために円板状部材の一端に固定した摘み部材とから構成されている。【０００５】  本発明は、円板状部材として、ストレスを解消あるいは軽減するために咬合時に適度な弾力で咬合力を吸収し、歯自体を欠損することのない、弾性のあるシリコンゴムを使用することが好ましい。
【発明の効果】
【０００６】  本発明によれば、従来のような硬質の材料で作られたマウスピースとは異なり、口内に挿入して咬合力を適度に吸収する弾性材料で形成した部材を咥えることによって咬合力を緩衝し、簡単かつ手軽にストレスを解消することが可能である。更に、弾性材料の使用は、口内の粘膜を損なうことがないので、安全な使用を可能にするだけでなく、使用によるストレスを感じさせることがない。
また、本発明によれば、口内に挿入して咬合される部材を、円板状に且つ可撓性に構成することによって、口内での異物感を軽減することができ、比較的長い時間にわたっての使用にも耐えることが可能である。
また、本発明によれば、口内への挿入及び口内からの取り出しのために円板状部材の一端に摘み部材を設けたために、取り扱いが容易であるだけでなく、誤飲を防止することができ、安全に使用することが可能である。
【図面の簡単な説明】
【０００７】
【図１】図１は、本発明の咬合力緩衝具の平面図を示す。
【図２】図２は、本発明の咬合力緩衝具の側面図を示す。
【発明を実施するための形態】
【０００８】  図１および図２において、本発明のストレス解消用の咬合力緩衝具１が示されている。咬合力緩衝具１は、口内に挿入して咬合される、弾性部材、例えばシリコンゴムにより形成された円板状部材２と、口内への挿入及び口内からの取り出しのために、円板状部材２の一端に設けた摘み部材３とから構成されている。
【０００９】  円板状部材２は、弾性部材で形成されているために可撓性があり、口内での異物感を緩和することができるとともに、口内の粘膜を損なうことがない。また、円板状部材２の大きさは、口内での咬合に適合する寸法に形成されるが、特にストレスを解消するために、使用者が適当な咬合部を選択可能にするために、口内での移動に適度な自由度があることが好ましい。
【００１０】  また、円板状部材２は、その一部を中空に構成することによって、弾性材料の選択とともに、その弾性力を調整することができ、使用者の咬合力のニーズに合わせた各種の緩衝具を製造することが可能である。このように円板状部材２の弾性力に対して選択度が大きいことは、特に使用者のストレスの解消に有効である。
【００１１】  摘み部材３は、使用時の取り扱いを容易にするために、使用者の指で摘み易いように、例えば耳朶状に形成されている。摘み部材３の形状および寸法については、自在に成型可能であるが、使用時の誤飲を防止することが可能な程度の寸法に成型されるのが好ましい。摘み部材３の材料は、使用者の指での取り扱いが容易であればよいが、円板状部材２と同一の材料で一体的に成型されるのが好ましい。これによって、円板状部材２と摘み部材３とが意図せずに分離して、誤飲のような事故につながることを未然に防止することができる。
【符号の説明】
【００１２】  １：咬合力緩衝具
２：円板状部材２
３：摘み部材３
【要約】
【課題】口内に挿入して咥えることで、簡単かつ手軽に咬合力を緩衝してストレスを解消することが可能な咬合力緩衝具を提供する。
【解決手段】ストレス解消用の咬合力緩衝具は、口内に挿入して咬合される、弾性材料で形成される円板状部材と、口内への挿入及び口内からの取り出しのために円板状部材の一端に設けた摘み部材とから構成される。
【選択図】図１【図１】
0005457592.tif 000002
【図２】
0005457592.tif 000003
(57)【特許請求の範囲】
【請求項１】
体操器具本体の上部にカウンタ−を取り付け，左右の足を乗せる場所にそれぞれ磁気を
取り付け，スイッチを入れる事により照明のＬＥＤも点灯し，昇降運動を繰り返すことにより，運動の効果と磁気の両方の効果があり，更に終了してから収納台に収納すると収納台から発する蛍の光（ＬＥＤ）が自動的に点滅して，美しさを楽しむことが出来る昇降運動をするための体操器具。
【請求項２】
体操器具で昇降運動を開始する際，病人のリハビリや介護施設や一般家庭では後期高齢者
は手摺が必要とする場合は，手摺をセットして，つかまりながら昇降運動を行う請求項１に記載の体操器具。
【請求項３】
体操器具に左右の足裏で踏むように，取付けた磁気の全体形状は角型の他に丸型で使用する請求項１に記載の体操器具。
【発明の詳細な説明】
【技術分野】
【０００１】
本発明は，健康を維持・増進させるため，台の昇降運動用体操器具に関するものである。
【背景技術】
【０００２】
従来，大人から子供まで磁気不足によって肩こり等を起こす症状に磁気の効果がある
事が知られており，そのため磁気で歯の予防，（特開平０６−０１４８１３号）肩こりに磁気肩パッド（特開２００７−０８２８９９号）など考案されている。
【０００３】
中高齢者をはじめ多くの人は，健康を維持・増進するために，又健康を取り戻すために運動を継続的に行う事が必要であるが，外での運動は，天候や季節に左右され易く特に
ジョギング・スロ−ジョギング・散歩は，寒冷地などは，冬季５ヶ月間は長期的に運動不足になりやすい。
そのため本発明は，自宅の室内でも容易に出来る体操器具で昇降運動をして，それを繰り返すことにより健康維持・増進できることと，磁気を踏むことによる効果と両方の
効果が期待できる。
【先行技術文献】
【特許文献】
【０００４】
台の昇降運動の出願もある。楽々健康ＢＯＸ（特許第３８７５７５８号）
【発明の概要】
【発明が解決しようとする課題】
【０００５】
これには次のような欠点があった。台の高さは３種類があっても病人や老人の健康回
復のための利用は自分の体を支える手摺は欠かせない。段数は１段でもいいから手摺が必要である。病院のトレ−ニング，介護施設のトレーニングは，高齢化社会が進むに
つれて手摺を必要とする方々が増える一方であり，広く誰でも使えるような構造が必
要であるがそれが出来なかった。
【０００６】
手摺をつけて老若男女・病人誰でも使用できる構造であり，且つ折角昇降運動するため
にのせた足の下に磁気を設置して，磁気の健康効果も得られる。
又，昇降運動をする際，磁気周辺をＬＥＤで綺麗に見せると共にカウンタ−を取り付
け継続しやすくした。
【課題を解決するための手段】
【０００７】
課題を解決するために本発明は，以下の構成とした。
従来の中高年齢者も若い人も，外で散歩・スロ−ジョギング・ジョギング等が手軽な運動として来たが，天候や季節に左右され易く，中々継続する事に難しさがある。特に雪が降る地方では長期間散歩やジョギング等は出来ない。
継続しなければ散歩もジョギング・スロージョギングも健康維持に効果がないので，外の天候に左右されない様に，体操器具を室内に置いて台の昇降運動をすることに
よる健康効果と磁気を踏むことによる両方の健康効果があることと，継続し易い様に台の上部にカウンタ−を取り付け昇降回数が分かる構造とした。
又，又昇降運動が少しでも楽しく出来るように，体操器具の上に足をのせる際，磁気がきれいに見えるように小さなＬＥＤ照明もセットした。
又，病院のトレーニングや介護施設の人達が使用できる構造として手摺をアタッチメントとして用意した。昇降運動が終わり，体操器具を片付ける時は，無駄な場所をとらずに収納台にのせる事により収納台の中から蛍の光が点滅してとても美しく，楽しい気持ちになる構造にして運動中も運動中止して収納台にのせた後も楽しく観察できる構造とした。
【発明の効果】
【０００８】
本発明は，以下の効果を有する。
・  台の昇降を繰り返すことにより散歩に使う時間より短くても運動効果がある。
・  昇降回数が多ければ多いほど，運動効果と磁気の健康効果がある。
・  雨ふり・雪・凍結があっても室内で行動をする関係で影響なく継続できる。
・  手摺を使用出来る関係で，老若男女・病院のリハビリ・介護施設の人も皆健康
増進のため使用できる。
５． 昇降運動を中止したあとも，収納台から蛍の光が点滅し楽しく観察できる。
【図面の簡単な説明】
【０００９】
【図１】体操器具斜視図
【図２】平面図
【図３】正面図
【図４】右側面図
【図５】底面図
【図６】蛍・造葉・配線説明図
【図７】体操器具収納台
【図８】体操器具を収納台に収納した図
【図９】体操器具を収納台に収納し蛍玩具一式を取り付けた図
【図１０】手摺本体
【図１１】体操器具に手摺本体を取り付けた図
【発明を実施するための形態】
【００１０】
以下本発明の実施形態について説明する。
本発明は，体操器具上部の照明（ＬＥＤ）は充電式電池を使用して，収納台の蛍の光は室内のコンセントから１００Ｖをアダプタを取り付けて使用する構造とした。
体操器具本体（１）を危険のない床に設置して右側の照明スイッチ（４）をいれる。 
身体が不自由な方は，体操器具本体と手摺本体組み合わせ  図１０のようにセットする。体操器具正面図で見て，右足から乗り次に左足を乗せ，右足から降りて次に左足を降ろし，それを繰り返すが，カウンタ−（２）を見て目標の数の中間で，足を反対の足から乗せると平均にバランスの取れた運動になる。
運動中止時は，スイッチ（４）を切り，図９の手摺本体を外し，体操器具本体（１）を体操器具収納台に収納する。収納する際，体操器具固定棒の（７ａ）が体操器具固定穴（８ａ）に接するとプラスとマイナスが接続される構造になっているため，蛍の光が点滅する。
【符号の説明】
【００１１】
１．    体操器具本体              
２．    カウンタ−      
３．    磁気
４．    磁気の照明ＬＥＤスイッチ（充電式電池用）
５．    照明ＬＥＤ（充電式電池用）
６．    収納台本体
７．    体操器具固定棒
７−ａ．体操器具固定棒（１００Ｖ使用  ＋線−線）
８．    体操器具固定穴
８−ａ．体操器具固定穴（１００Ｖ使用  ＋−連結のための金属）
９．    蛍玩具配線（１００Ｖ使用  ＋−線）
１０．    造葉
１１．    玩具蛍
１２．    玩具蛍の光（ＬＥＤ）
１３．    蛍の光のサーキット基板
１４．    手摺
１５．    アダプタ
１６．    照明ＬＥＤ用充電式電池
【図１】
0005457426.tif 000002
【図２】
0005457426.tif 000003
【図３】
0005457426.tif 000004
【図４】
0005457426.tif 000005
【図５】
0005457426.tif 000006
【図６】
0005457426.tif 000007
【図７】
0005457426.tif 000008
【図８】
0005457426.tif 000009
【図９】
0005457426.tif 000010
【図１０】
0005457426.tif 000011
【図１１】
0005457426.tif 000012